(57)【要約】  無線ＬＡＮのアドホックモード通信を用いることにより、撮影した画像の画像データの転送を容易に行うことができるとともに、画像データの転送を迅速に行うことができる通信端末装置。この装置では、送信部（１０９）は、切替部（１０８）及びアンテナ（１０７）を介してビーコン信号を送信して通信相手端末の検索を行う。ＷＬＡＮ無線制御部（１１２）は、起動後に、ビーコン信号、ＡＴＩＭ信号及び画像データを送信部（１０９）へ出力するとともに、受信部（１１０）から入力した画像データをＷＬＡＮインタフェース（１１４）へ出力する。アプリケーション制御ブロック（１１６）は、カメラモジュール（１１９）の起動を検出した際に、無線ＬＡＮのアドホックモード通信の起動を要求する。カメラモジュール（１１９）は、起動後の操作部（１２０）のキーの押下により撮像する。
2008102434.tif 000002
【特許請求の範囲】
【請求項１】
撮像する撮像手段と、
前記撮像手段の起動を検出する起動検出手段と、
前記起動検出手段で起動を検出した際に送信または受信する標識信号を契機として通信相手端末と直接通信する無線ＬＡＮのアドホックモード通信で通信可能な通信相手端末を所定の周期で検索する検索手段と、
前記検索手段での検索により前記通信相手端末が見つかった場合に前記撮像手段で撮像した画像の画像データを前記通信相手端末に対して無線ＬＡＮのアドホックモード通信で転送する転送手段と、
を具備する通信端末装置。
【請求項２】
前記通信相手端末を識別するための情報である識別情報を記憶する記憶手段を具備し、
前記検索手段は、前記記憶手段に前記識別情報を記憶している場合には、前記記憶手段に前記識別情報を記憶していない場合に比べて前記周期を短くする請求項１記載の通信端末装置。
【請求項３】
前記撮像手段は、カメラ起動ボタンが押下された際に起動し、
前記起動検出手段は、前記カメラ起動ボタンが押下された際に前記起動を検出する請求項１記載の通信端末装置。
【請求項４】
前記転送手段は、前記記憶手段に前記画像データを記憶する場合に前記通信相手端末に対して前記画像データを転送する請求項１記載の通信端末装置。
【請求項５】
前記検索手段は、所定時間内に前記通信相手端末を見つけられなかった場合には、前記検索を停止する請求項１記載の通信端末装置。
【請求項６】
前記検索手段での検索により前記通信相手端末が見つかった場合に、前記通信相手端末で撮像中の画像の画像データを無線ＬＡＮのアドホックモード通信で受信する受信手段と、
受信した前記画像データをモニタ画像として表示する表示手段と、
を具備する請求項１記載の通信端末装置。
【請求項７】
前記画像データを送信する前記通信相手端末における前記撮像中の画像の撮像処理を制御するための制御信号を生成する撮像制御手段と、
前記撮像制御手段で生成した前記制御信号を無線ＬＡＮのアドホックモード通信で前記通信相手端末へ送信する送信手段と、
を具備する請求項６記載の通信端末装置。
【請求項８】
前記モニタ画像を表示するか否かを選択する選択手段を具備し、
前記受信手段は、前記選択手段で前記モニタ画像を表示することが選択された場合に前記画像データを受信する請求項６記載の通信端末装置。
【請求項９】
通信端末装置に設けられた撮像手段で撮像するステップと、
前記撮像手段の起動を検出するステップと、
前記通信端末装置が、前記起動を検出した際に、送信または受信する標識信号を契機として通信相手端末と直接通信する無線ＬＡＮのアドホックモード通信で通信可能な通信相手端末を所定の周期で検索するステップと、
前記検索により前記通信相手端末が見つかった場合に前記撮像手段で撮像した画像の画像データを前記通信端末装置から前記通信相手端末に対して無線ＬＡＮのアドホックモード通信で転送するステップと、
を具備する画像データ転送方法。
【請求項１０】
前記通信相手端末が見つかった場合に前記通信相手端末で撮像中の画像の画像データをモニタ画像として前記通信端末装置が無線ＬＡＮのアドホックモード通信で受信するステップを具備する請求項９記載の画像データ転送方法。
【発明の詳細な説明】
【技術分野】
【０００１】
本発明は、通信端末装置及び画像データ転送方法に関し、特に無線ＬＡＮのアドホックモード通信を用いて画像データを転送する通信端末装置及び画像データ転送方法に関する。
【背景技術】
【０００２】
従来、携帯電話またはデジタルカメラ等のカメラで撮像した画像を他の機器へ転送する際に、撮像した画像の画像データを一旦記憶媒体に記憶させ、画像データを記憶した記憶媒体を転送先の機器と接続して画像データを転送するものが知られている。【０００３】
また、従来、カメラで撮影した画像の画像データを携帯電話に転送するものが知られている（例えば、特許文献１）。特許文献１のカメラシステムでは、通信機能を備えたカメラに携帯電話機の電話番号を登録しておく。携帯電話機からカメラに電話をかけると、登録してある電話番号によって接続相手の認証が行われ、登録済み電話番号の携帯電話機に限り、カメラとの間で画像や制御信号などのデータの送受信が許可される。【０００４】
また、従来、オンデマンド型の通信として、無線ＬＡＮのアドホックモード（ad hoc mode）通信の研究が盛んに行われている。【０００５】
無線ＬＡＮのアドホックモード通信とは、基地局やアクセスポイントを必要とせず、無線で接続できる無線端末(パソコン、ＰＤＡ、携帯電話等)のみで構成された自立分散型の無線ネットワークによる通信である。このため、無線ＬＡＮのアドホックモード通信は、アクセスポイント等のインフラ（Infrastructure）が存在しない場所でも簡易にネットワークを構築して通信することができる。【０００６】
この無線ＬＡＮのアドホックモード通信は、ＩＥＥＥ(Institute of Electrical and Electronics Engineers)８０２．１１やＢｌｕｅｔｏｏｔｈ（登録商標）などの技術を用いて、端末同士が通信する。
【特許文献１】特開２００４−３６１４６４号公報
【発明の開示】
【発明が解決しようとする課題】
【０００７】
しかしながら、従来の装置においては、記憶媒体を介して画像データを転送する場合には、画像データの転送が面倒であるという問題がある。例えば、カメラ付き携帯電話またはデジタルカメラで集合写真を撮影した際に、集合写真に写っている人物全員に対して、記憶媒体を介して撮影した写真を渡すのは手間が掛かり面倒であるという問題がある。【０００８】
また、特許文献１のカメラシステムにおいては、カメラに電話番号を登録する電話番号登録処理を行う必要があり、カメラから携帯電話に画像データを転送することができるようになるまでの処理が面倒であるという問題がある。また、カメラから携帯電話へ画像データを転送する際の通信方式は、ＦＤＭＡ、ＴＤＭＡ、ＣＤＭＡ及びＷ−ＣＤＭＡであり、何れも、画像データはカメラから基地局を介して携帯電話に転送されるものであるため、画像データの転送に時間を要するという問題がある。【０００９】
本発明の目的は、無線ＬＡＮのアドホックモード通信を用いることにより、撮影した画像の画像データの転送を容易に行うことができるとともに、画像データの転送を迅速に行うことができる通信端末装置及び画像データ転送方法を提供することである。
【課題を解決するための手段】
【００１０】
本発明の通信端末装置は、撮像する撮像手段と、前記撮像手段の起動を検出する起動検出手段と、前記起動検出手段で起動を検出した際に送信または受信する標識信号を契機として通信相手端末と直接通信する無線ＬＡＮのアドホックモード通信で通信可能な通信相手端末を所定の周期で検索する検索手段と、前記検索手段での検索により前記通信相手端末が見つかった場合に前記撮像手段で撮像した画像の画像データを前記通信相手端末に対して無線ＬＡＮのアドホックモード通信で転送する転送手段と、を具備する構成を採る。【００１１】
本発明の画像データ転送方法は、通信端末装置に設けられた撮像手段で撮像するステップと、前記撮像手段の起動を検出するステップと、前記通信端末装置が、前記起動を検出した際に、送信または受信する標識信号を契機として通信相手端末と直接通信する無線ＬＡＮのアドホックモード通信で通信可能な通信相手端末を所定の周期で検索するステップと、前記検索により前記通信相手端末が見つかった場合に前記撮像手段で撮像した画像の画像データを前記通信端末装置から前記通信相手端末に対して無線ＬＡＮのアドホックモード通信で転送するステップと、を具備するようにした。
【発明の効果】
【００１２】
本発明によれば、無線ＬＡＮのアドホックモード通信を用いることにより、撮影した画像の画像データの転送を容易に行うことができるとともに、画像データの転送を迅速に行うことができる。
【図面の簡単な説明】
【００１３】
【図１】本発明の実施の形態に係る通信端末装置の構成を示すブロック図
【図２】本発明の実施の形態に係る通信端末装置の動作を示すフロー図
【図３】本発明の実施の形態に係るアドホックモード通信の状況を示す図
【図４】本発明の実施の形態に係るアドホックモード通信する場合のタイミングチャート図
【図５】本発明の実施の形態に係る通信端末装置の動作を示すフロー図
【図６】本発明の実施の形態に係るアドホックモード通信する場合のタイミングチャート図
【発明を実施するための最良の形態】
【００１４】
以下、本発明の実施の形態について、図面を参照して詳細に説明する。【００１５】
（実施の形態）
図１は、本発明の実施の形態に係る通信端末装置１００の構成を示すブロック図である。【００１６】
アンテナ１０１、切替部１０２、送信部１０３、受信部１０４、セルラー電源部１０５及びセルラー無線制御部１０６は、セルラー通信部１５０を構成する。また、アンテナ１０７、切替部１０８、送信部１０９、受信部１１０、ＷＬＡＮ電源部１１１及びＷＬＡＮ無線制御部１１２は、ＷＬＡＮ通信部１６０を構成する。また、セルラーインタフェース１１３、ＷＬＡＮインタフェース１１４、メモリ１１５、アプリケーション制御ブロック１１６、ＷＬＡＮ起動要求ブロック１１７及び撮像制御部１１８は、アプリケーション通信制御部１７０を構成する。【００１７】
アンテナ１０１は、セルラー通信方式の信号を受信して切替部１０２へ出力するとともに、切替部１０２から入力したセルラー通信方式の送信信号を送信する。【００１８】
切替部１０２は、アンテナ１０１から入力した受信信号の受信部１０４への出力と、送信部１０３から入力した送信信号のアンテナ１０１への出力とを切り替える。【００１９】
送信部１０３は、セルラー無線制御部１０６から入力した送信信号をベースバンド周波数から無線周波数にアップコンバートして切替部１０２へ出力する。【００２０】
受信部１０４は、切替部１０２から入力した受信信号を無線周波数からベースバンド周波数にダウンコンバートしてセルラー無線制御部１０６へ出力する。【００２１】
セルラー電源部１０５は、セルラー無線制御部１０６に電力を供給する。【００２２】
セルラー無線制御部１０６は、セルラー電源部１０５から電力の供給を受けることにより、セルラーインタフェース１１３から入力した送信信号を変調して送信部１０３へ出力する。また、セルラー無線制御部１０６は、受信部１０４から入力した受信信号を復調してセルラーインタフェース１１３へ出力する。【００２３】
アンテナ１０７は、無線ＬＡＮのアドホックモード通信の信号を、無線アドホックネットワークを介して受信して切替部１０８へ出力するとともに、切替部１０８から入力した無線ＬＡＮのアドホックモード通信の送信信号を、無線アドホックネットワークを介して送信する。【００２４】
切替部１０８は、アンテナ１０７から入力した受信信号の受信部１１０への出力と、送信部１０９から入力した送信信号のアンテナ１０７への出力とを切り替える。【００２５】
転送手段である送信部１０９は、ＷＬＡＮ無線制御部１１２から入力した送信信号をベースバンド周波数から無線周波数にアップコンバートして切替部１０８へ出力する。【００２６】
受信部１１０は、切替部１０８から入力した受信信号を無線周波数からベースバンド周波数にダウンコンバートしてＷＬＡＮ無線制御部１１２へ出力する。【００２７】
ＷＬＡＮ電源部１１１は、操作部１２０から検索開始信号が入力した場合に、ＷＬＡＮ無線制御部１１２に電力を供給する。【００２８】
検索手段であるＷＬＡＮ無線制御部１１２は、ＷＬＡＮ電源部１１１から電力の供給を受けることにより起動する。また、ＷＬＡＮ無線制御部１１２は、起動後に、通信相手端末が送信したビーコン信号が受信部１１０から入力しない場合に、ビーコン信号を生成して、生成したビーコン信号を送信部１０９へ出力する。この際に、ＷＬＡＮ無線制御部１１２は、ビーコンを送信する周期を短くするビーコン周期制御信号がＷＬＡＮインタフェース１１４から入力した場合に、ビーコン周期制御信号に応じた周期でビーコンが送信されるタイミングで、生成したビーコンを送信部１０９へ出力する。一方、ＷＬＡＮ無線制御部１１２は、起動後に、通信相手端末が送信したビーコン信号が受信部１１０から入力した場合に、トラフィック発生通知メッセージ(Announcement Traffic Indication Message：以下「ＡＴＩＭ」という)信号を生成して、生成したＡＴＩＭ信号を送信部１０９へ出力する。【００２９】
また、ＷＬＡＮ無線制御部１１２は、ＡＴＩＭ信号に対するＡＣＫが受信部１１０から入力した場合に、ＷＬＡＮインタフェース１１４から入力した画像データを変調して送信部１０９へ出力する。また、ＷＬＡＮ無線制御部１１２は、受信部１１０から入力した受信信号の各フレームに含まれているＢＳＳＩＤを参照し、現在の自分に割り当てられているＢＳＳＩＤと同じＢＳＳＩＤを含むフレームの画像データだけを処理する。そして、ＷＬＡＮ無線制御部１１２は、処理した画像データをＷＬＡＮインタフェース１１４へ出力する。ここで、ＢＳＳＩＤ（Basic Service Set ID）とは、アクセスポイントまたは基地局を識別する識別子であるが、本実施の形態では、通信端末装置をグループ化した際のグループを識別する識別情報としての役割を有する。なお、この場合、ＷＬＡＮ無線制御部１１２から送信部１０９へ出力する画像データは、カメラモジュール１１９で撮像した通信相手端末に転送するための画像の画像データであり、受信部１１０からＷＬＡＮ無線制御部１１２に入力する画像データは、通信相手端末が撮像中の画像の画像データをＬＣＤ１２１にモニタ画像として表示するためのものである。さらに、ＷＬＡＮ無線制御部１１２は、ＷＬＡＮインタフェース１１４から入力した、通信相手端末が撮像する際の撮像処理を遠隔操作するための制御信号を変調して送信部１０９へ出力する。【００３０】
セルラーインタフェース１１３は、セルラー無線制御部１０６から入力した受信信号をアプリケーション制御ブロック１１６へ出力する。また、セルラーインタフェース１１３は、アプリケーション制御ブロック１１６から入力した送信信号をセルラー無線制御部１０６へ出力する。【００３１】
ＷＬＡＮインタフェース１１４は、ＷＬＡＮ起動要求ブロック１１７から起動を要求された場合に、ＷＬＡＮ無線制御部１１２に対して、起動を要求する。また、ＷＬＡＮインタフェース１１４は、起動の要求後に、アプリケーション制御ブロック１１６から入力した画像データをＷＬＡＮ無線制御部１１２へ出力し、撮像制御部１１８から入力した制御信号をＷＬＡＮ無線制御部１１２へ出力するとともに、ＷＬＡＮ無線制御部１１２から入力した画像データをアプリケーション制御ブロック１１６へ出力する。また、ＷＬＡＮインタフェース１１４は、ビーコンを送信する周期を短くするビーコン周期制御信号がアプリケーション制御ブロック１１６から入力した場合に、入力したビーコン周期制御信号をＷＬＡＮ無線制御部１１２へ出力する。【００３２】
記憶手段であるメモリ１１５は、特定の通信相手端末の宛先の情報である電話帳情報（識別情報）を記憶することができる。具体的には、メモリ１１５は、ＩＢＳＳ（Independent Basic Service Set）のＢＳＳＩＤを電話帳情報として記憶している。また、メモリ１１５は、アプリケーション制御ブロック１１６から入力した、カメラモジュール１１９で撮像した画像の画像データを記憶する。ここで、ＩＢＳＳとは、送信機が送信元であり、受信機が相手先である、アクセスポイントを使用しない無線ＬＡＮネットワークである。【００３３】
起動検出手段であるアプリケーション制御ブロック１１６は、操作部１２０からカメラ起動信号が入力した場合に、カメラモジュール１１９の起動を検出し、ＷＬＡＮ起動要求ブロック１１７に対して、所定の周期で無線ＬＡＮのアドホックモード通信を起動することを指示する。その際に、アプリケーション制御ブロック１１６は、メモリ１１５を参照して、メモリ１１５に電話帳情報が記憶されている場合には、メモリ１１５に電話帳情報が記憶されていない場合に比べて、ビーコンを送信する周期を短くするビーコン周期制御信号をＷＬＡＮインタフェース１１４へ出力する。また、アプリケーション制御ブロック１１６は、起動を要求した後に、カメラモジュール１１９から入力した画像データをＷＬＡＮインタフェース１１４へ出力する。また、アプリケーション制御ブロック１１６は、ＷＬＡＮインタフェース１１４から入力した画像データをＬＣＤ１２１へ出力する。また、アプリケーション制御ブロック１１６は、操作部１２０のキー操作に応じた信号が操作部１２０から入力した場合に、キー操作に応じた所定のアプリケーション処理を行う。また、アプリケーション制御ブロック１１６は、所定のアプリケーション処理を行うことにより、セルラーインタフェース１１３との間でセルラー通信方式の信号の入出力を行う。また、アプリケーション制御ブロック１１６は、後述する操作部１２０から入力した指示信号に従って、カメラモジュール１１９から入力した画像データをメモリ１１５に記憶する。【００３４】
ＷＬＡＮ起動要求ブロック１１７は、アプリケーション制御ブロック１１６からの指示により、ＷＬＡＮインタフェース１１４に対して、起動を要求する。【００３５】
撮像制御部１１８は、操作部１２０から入力した、通信相手端末が撮像する際の撮像処理を遠隔操作するための制御を行う制御信号を生成し、生成した制御信号をＷＬＡＮインタフェース１１４へ出力する。例えば、撮像制御部１１８は、フォーカスを調整するための制御信号、またはカメラの視野角を調整するための制御信号を生成する。また、撮像制御部１１８は、操作部１２０から選択信号が入力した場合には、通信相手端末が撮像中の画像の画像データをモニタ画像として送信することを要求する制御信号を生成する。【００３６】
撮像手段であるカメラモジュール１１９は、起動スイッチを有しており、起動スイッチが押されることにより起動する。そして、カメラモジュール１１９は、起動後に、被写体を撮像し、撮像した被写体の画像の画像データをアプリケーション制御ブロック１１６へ出力する。【００３７】
選択手段である操作部１２０は、操作用キーを有しており、外部から操作用キーが操作されることにより、キー操作に応じた信号をアプリケーション制御ブロック１１６へ出力する。また、操作部１２０は、キー操作が、通信相手端末が撮像する際の撮像処理を遠隔操作するための制御である場合には、キー操作に応じた遠隔操作のための信号を撮像制御部１１８へ出力する。また、操作部１２０は、キー操作が、通信相手端末が撮像中の画像をモニタ画像として表示することを選択する場合には、モニタ画像を表示することを選択する選択信号を撮像制御部１１８へ出力する。また、操作部１２０は、キー操作が、カメラモジュール１１９で撮像した画像の画像データを記憶することを指示する場合には、画像データを記憶することを指示する指示信号をアプリケーション制御ブロック１１６へ出力する。また、操作部１２０は、カメラ起動スイッチとＷＬＡＮ通信相手端末の検索開始スイッチを有している。そして、操作部１２０は、カメラ起動スイッチが押下された際に、カメラ起動信号をアプリケーション制御ブロック１１６へ出力する。また、操作部１２０は、ＷＬＡＮ通信相手端末の検索開始スイッチが押下された際に、検索開始信号をＷＬＡＮ電源部１１１へ出力する。【００３８】
表示手段であるＬＣＤ１２１は、アプリケーション制御ブロック１１６から入力した画像データの画像を表示する。この際に、ＬＣＤ１２１は、アプリケーション制御ブロック１１６から入力した画像データが通信相手端末の撮像中の画像の画像データである場合には、通信相手端末で撮像中の画像のモニタ画像として表示する。【００３９】
次に、撮像した画像の画像データを通信相手端末に転送する場合における通信端末装置１００の動作について、図２を用いて説明する。図２は、通信端末装置１００の動作を示すフロー図である。【００４０】
最初に、通信端末装置１００は、ユーザー操作を受け付ける（ステップＳＴ２０１）。【００４１】
次に、通信端末装置１００のアプリケーション制御ブロック１１６は、カメラモジュール１１９のカメラが起動されたか否かを判定する（ステップＳＴ２０２）。【００４２】
カメラが起動されていない場合には、通信端末装置１００は、再びユーザー操作を受け付ける（ステップＳＴ２０１）。【００４３】
一方、カメラが起動された場合には、通信端末装置１００のアプリケーション制御ブロック１１６は、無線ＬＡＮ（ＷＬＡＮ）を起動するか否かを判定する（ステップＳＴ２０３）。【００４４】
無線ＬＡＮを起動しない場合には、通信端末装置１００は、カメラモジュール１１９のみ起動を継続する（ステップＳＴ２０４）。【００４５】
一方、ステップＳＴ２０３において、無線ＬＡＮを起動する場合には、アプリケーション制御ブロック１１６は、メモリ１１５に電話帳情報が記憶されていて電話帳情報を検索する必要があるか否かを判定する（ステップＳＴ２０５）。【００４６】
電話帳情報を検索する必要がある場合には、アプリケーション制御ブロック１１６は、ビーコン送信周期を短い周期に変更することを決定する（ステップＳＴ２０６）。【００４７】
一方、電話帳情報を検索する必要がない場合には、アプリケーション制御ブロック１１６は、ビーコン送信周期を通常の周期、即ち、ステップＳＴ２０６で設定したビーコン周期よりも長いビーコン周期を設定する（ステップＳＴ２０７）。【００４８】
次に、通信端末装置１００のＷＬＡＮ無線制御部１１２は、無線ＬＡＮ接続機器との接続があるか否かを判定する（ステップＳＴ２０８）。具体的には、ＷＬＡＮ無線制御部１１２は、設定したビーコン周期でビーコンを送信し、ビーコンの送信後にＡＴＩＭ信号を送信する。そして、ＷＬＡＮ無線制御部１１２は、通信相手端末より、ＡＴＩＭ信号に対するＡＣＫを受け取った場合に、無線ＬＡＮ接続機器との接続があるものと判定する。または、ＷＬＡＮ無線制御部１１２は、通信相手端末が送信したビーコン及びＡＴＩＭ信号を受け取った場合に、無線ＬＡＮ接続機器との接続があるものと判定する。【００４９】
図３は、アドホックモード通信を行う状況を説明する図であり、図４は、アドホックモード通信する場合のタイミングチャート図である。なお、図３及び図４において、通信端末装置１００は、図１と同一構成を有する。【００５０】
図３より、通信端末装置１００は、通信相手端末Ｂとアドホックモード通信を行い、通信相手端末Ａとアドホックモード通信を行わないものとする。【００５１】
この場合、図４より、通信端末装置１００は、ビーコン＃４０１を送信する。そして、通信端末装置１００は、ビーコン＃４０１の送信を契機として、続けて、通信相手端末Ｂに対して、ユニキャストでＡＴＩＭ信号＃４０２を送信する。ＡＴＩＭ信号＃４０２を受信した通信相手端末Ａは、通信端末装置１００とのアドホックモード通信には参加しない端末であるので応答信号は送信しない。一方、ＡＴＩＭ信号＃４０２を受信した通信相手端末Ｂは、通信端末装置１００とのアドホックモード通信に参加する端末であり、受信したＡＴＩＭ信号＃４０２は自分宛であるので、ＡＴＩＭ信号＃４０２に対する応答としてＡＣＫ＃４０３を送信する。通信端末装置１００がＡＣＫ＃４０３を受信することにより、通信端末装置１００は、無線ＬＡＮ接続機器との接続があると判定することができる。なお、通信端末装置１００がＡＣＫ＃４０３を受信できない場合または通信相手端末ＢがＡＣＫ＃４０３を送信しない場合には、通信端末装置１００は、無線ＬＡＮ接続機器との接続がないと判定することができる。【００５２】
図４において、通信端末装置１００及び通信相手端末Ａ、Ｂは、前のビーコン間隔のちょうど最後の時刻にあたるターゲットビーコン送信時刻ＴＢＴＴからバックオフと呼ばれるランダムな待機時間だけ待機した後、ビーコン信号の発信を試みる。通信端末装置１００及び通信相手端末Ａ、Ｂが自身の送信時刻よりも前にビーコン信号を受け取ると、保留中のビーコン信号の送信はキャンセルされる。これにより、アドホックモード通信では、通信端末装置１００及び通信相手端末Ａ、Ｂの内の何れか１つの端末のみがビーコン信号を送信する。【００５３】
また、ビーコンフレームは、通信端末装置１００及び通信相手端末Ａ、Ｂの各々により処理される必要があるため、ＴＢＴＴの前には、通信端末装置１００及び通信相手端末Ａ、Ｂの全ての端末が立ち上がって、起動状態になる。また、ビーコンフレームには、タイムスタンプ、ビーコン間隔、ケーパビリティ情報、サービスセットＩＤ、サポートレートなどの必須フィールドと、ＦＨパラメータセット、ＤＳパラメータセット、ＣＦパラメータセット、ＩＢＳＳパラメータセット、ＴＩＭなどのオプションフィールドとが含まれる。オプション情報は、使用する必要がある場合のみ存在する。【００５４】
図２に戻って、ステップＳＴ２０８において、無線ＬＡＮ接続機器との接続があると判定した場合には、通信端末装置１００は、無線ＬＡＮのアドホックモード通信を開始する（ステップＳＴ２０９）。【００５５】
次に、通信端末装置１００は、無線ＬＡＮのアドホックモード通信を開始した通信相手端末とのネゴシエーションを実行し、ネゴシエーション接続できたか否かを判定する（ステップＳＴ２１０）。【００５６】
ネゴシエーション接続できた場合には、通信端末装置１００と通信相手端末とは、無線ＬＡＮ接続機器とのアドホックモード通信による接続状態になる（ステップＳＴ２１１）。【００５７】
次に、カメラモジュール１１９は、被写体を撮像する（ステップＳＴ２１２）。【００５８】
次に、通信端末装置１００のアプリケーション制御ブロック１１６は、カメラモジュール１１９で撮像した画像の画像データをメモリ１１５に記憶するか否か判定する（ステップＳＴ２１３）。【００５９】
メモリ１１５に記憶しない場合には、カメラ表示へ戻る（ステップＳＴ２１４）。【００６０】
一方、ステップＳＴ２１３において、メモリ１１５に記憶する場合には、アプリケーション制御ブロック１１６は、メモリ１１５に画像データを保存する（ステップＳＴ２１５）。【００６１】
次に、通信端末装置１００のＷＬＡＮ無線制御部１１２は、ステップＳＴ２１１で接続状態にした通信相手端末に対して、無線ＬＡＮのアドホックモード通信を用いて画像データの転送を開始する（ステップＳＴ２１６）。具体的には、図４に示すように、ＷＬＡＮ無線制御部１１２は、画像データ＃４０３を転送し、画像データ＃４０３を受信した通信相手端末Ｂは、受信した画像データに対する応答であるＡＣＫ（図示省略）を送信する。【００６２】
一方、ステップＳＴ２０４でカメラモジュール１１９のみを起動する場合、ステップＳＴ２０８で無線ＬＡＮ接続機器との接続がないと判定した場合、ステップＳＴ２１０でネゴシエーション接続できなかった場合、またはステップＳＴ２１４でカメラ表示へ戻った場合に、通信端末装置１００は、画像データの転送は行わない。【００６３】
次に、通信相手端末で撮像した画像をモニタ画像として表示する場合における通信端末装置１００の動作について、図５を用いて説明する。図５は、通信端末装置１００の動作を示すフロー図である。【００６４】
最初に、通信端末装置１００は、ユーザー操作を受け付ける（ステップＳＴ５０１）。【００６５】
次に、通信端末装置１００のカメラモジュール１１９は、カメラが起動されたか否かを判定する（ステップＳＴ５０２）。【００６６】
カメラが起動されていない場合には、通信端末装置１００は、再びユーザー操作を受け付ける（ステップＳＴ５０１）。【００６７】
一方、カメラが起動された場合には、通信端末装置１００のアプリケーション制御ブロック１１６は、無線ＬＡＮ（ＷＬＡＮ）を起動するか否かを判定する（ステップＳＴ５０３）。【００６８】
無線ＬＡＮを起動しない場合には、通信端末装置１００は、カメラモジュール１１９のみ起動を継続する（ステップＳＴ５０４）。【００６９】
一方、ステップＳＴ５０４において、無線ＬＡＮを起動する場合には、アプリケーション制御ブロック１１６は、通信相手端末で撮像中の画像をモニタ画像として表示することを選択する信号が操作部１２０から入力したか否か、即ちカメラを共有するか否かを判定する（ステップＳＴ５０５）。【００７０】
カメラを共有する場合には、アプリケーション制御ブロック１１６は、メモリ１１５に記憶されている電話帳情報を検索する（ステップＳＴ５０６）。【００７１】
次に、アプリケーション制御ブロック１１６は、ビーコン送信周期を短い周期に変更することを決定する（ステップＳＴ５０７）。【００７２】
次に、通信端末装置１００のＷＬＡＮ無線制御部１１２は、無線ＬＡＮ接続機器との接続があるか否かを判定する（ステップＳＴ５０８）。具体的には、ＷＬＡＮ無線制御部１１２は、設定したビーコン周期でビーコンを送信し、ビーコンの送信後にＡＴＩＭ信号を送信する。そして、ＷＬＡＮ無線制御部１１２は、通信相手端末より、ＡＴＩＭ信号に対するＡＣＫを受け取った場合に、無線ＬＡＮ接続機器との接続があるものと判定する。または、ＷＬＡＮ無線制御部１１２は、通信相手端末が送信したビーコン及びＡＴＩＭ信号を受け取った場合に、無線ＬＡＮ接続機器との接続があるものと判定する。なお、判定の方法は、図３及び図４と同一であるのでその詳しい説明は省略する。【００７３】
ステップＳＴ５０８において、無線ＬＡＮ接続機器との接続があると判定した場合には、通信端末装置１００は、無線ＬＡＮのアドホックモード通信を開始する（ステップＳＴ５０９）。【００７４】
次に、通信端末装置１００は、無線ＬＡＮのアドホックモード通信を開始した通信相手端末とのネゴシエーションを実行し、ネゴシエーション接続できたか否かを判定する（ステップＳＴ５１０）。【００７５】
ネゴシエーション接続できた場合には、通信端末装置１００と通信相手端末とは、無線ＬＡＮ接続機器とのアドホックモード通信による接続状態になる（ステップＳＴ５１１）。【００７６】
次に、通信端末装置１００の撮像制御部１１８は、通信相手端末で撮像中の画像データの転送を要求する制御信号を生成する。そして、通信端末装置１００は、通信相手端末で撮像中の画像データの転送を要求する制御信号を送信する。【００７７】
図６は、アドホックモード通信する場合のタイミングチャート図である。なお、図６において、図４と同一の信号には同一の符号を付して、その説明は省略する。【００７８】
図６より、通信端末装置１００は、通信相手端末で撮像中の画像データの転送を要求する制御信号＃６０１を送信し、制御信号＃６０１を受信した通信相手端末Ｂは、制御信号＃６０１の受信に対する応答であるＡＣＫ＃６０２を送信する。【００７９】
次に、通信端末装置１００は、図６に示すように、通信相手端末から送信された画像データ＃６０３を受信する（ステップＳＴ５１２）。【００８０】
次に、通信端末装置１００のＬＣＤ１２１は、ステップＳＴ５１２で受信した画像データをモニタ画像として表示する（ステップＳＴ５１３）。【００８１】
一方、ステップＳＴ５０４でカメラモジュール１１９のみを起動する場合、ステップＳＴ５０５でカメラを共有しない場合、ステップＳＴ５０８で無線ＬＡＮ接続機器との接続がないと判定した場合、またはステップＳＴ５１０でネゴシエーション接続できなかった場合に、通信端末装置１００は、モニタ画像は表示しない。【００８２】
因みに、図４及び図６に示すように、無線ＬＡＮのアドホックモード通信では、ビーコン信号は、標識信号であり、全ての無線端末に対して送信される。ビーコンはアドホックモード通信において予め設定された間隔で通信端末装置１００及び通信相手端末Ａ、Ｂのいずれかから送信可能である。【００８３】
このビーコンに続いて、通信端末装置１００及び通信相手端末Ａ、Ｂでは、ＡＴＩＭウィンドウと呼ばれる時間ウィンドウが開始される。このＡＴＩＭウィンドウは、ノード（ここでは、通信端末装置１００及び通信相手端末Ａ、Ｂ）がアクティブな状態を保たなければならない時間である。【００８４】
アドホックモード通信では、通信端末装置１００及び通信相手端末Ａ、Ｂが、ＡＴＩＭウィンドウ中にＡＴＩＭ信号を送信することによって、ＡＴＩＭウィンドウの間は、通信相手端末Ａは、電源をＯＦＦにすることができず、電源をＯＮにしてからＩＢＳＳ作成時に決めた時間の経過後に終了する。【００８５】
また、無線端末Ａは、ＡＴＩＭ信号を送信または受信していないため、ＡＴＩＭウィンドウの終了後、スリープ状態（省電力モード）に入ることができる。また、無線端末Ａは、ビーコン送信周期内で、ビーコン信号を送信または受信するために起動する。【００８６】
また、ビーコンを送信する通信端末装置１００は、通信相手端末Ａ、Ｂ以外の他の通信端末装置が、すでに構築されているネットワークに参加を希望する際に、ネットワークに参加を希望する他の通信端末装置に対して、ネットワークへの参加の機会を与えるために、次のビーコンを送信するまでスリープ状態に入らない。【００８７】
一方、通信端末装置１００及び通信相手端末Ｂは、ＡＴＩＭウィンドウ中にＡＴＩＭ信号の送受信を行っているため、スリープ状態に入ることはできない。【００８８】
また、ビーコンを発信した通信端末装置１００は、アドホックモード通信に対する外部の無線端末の新規参入を受け付けるため、スリープ状態に入ることができない。【００８９】
そして、次のビーコンが送信された際のＡＴＩＭウィンドウでは、通信端末装置１００及び通信相手端末Ａ、ＢはＡＴＩＭ信号を送受信しなかったため、ビーコンを送信した通信端末装置１００以外の通信相手端末Ａ、Ｂは、ＡＴＩＭウィンドウの終了後スリープ状態に入っている。【００９０】
また、通信端末装置及びその他の機器がブロードキャストまたはマルチキャストされたデータをチェックできるように、すべてのフレームにはＢＳＳＩＤが格納されている。これにより、同じＢＳＳＩＤに属する通信端末装置及びその他の機器だけが、ブロードキャストまたはマルチキャストされたデータを受け取ることができる。また、ＩＢＳＳでは、３つのアドレスフィールドが使用される。最初のアドレスフィールドには受信機のアドレスが格納されており、ＩＢＳＳの場合には通信相手先のアドレスと同一である。また、２番目のアドレスフィールドには送信元のアドレスが格納されている。また、３番目のアドレスフィールドにはＢＳＳＩＤが格納されている。また、ＩＢＳＳは、１つのパラメータ及びＡＴＩＭウィンドウだけを有する。このフィールドはＩＢＳＳでのビーコンフレームのみで使用される。【００９１】
このように、本実施の形態によれば、無線ＬＡＮのアドホックモード通信を用いて画像データを転送することにより、撮影した画像の画像データの転送を容易に行うことができるとともに、画像データの転送を迅速に行うことができる。また、本実施の形態によれば、集合写真等を配布する際に、容易に配布することができる。また、本実施の形態によれば、モニタ画像を見ながら通信相手端末を遠隔操作できるので、撮影を繰り返す手間を省くことができる。また、本実施の形態によれば、電話帳情報を記憶している場合には、ビーコン周期を短くするので、画像データの転送をしたい相手に対して、迅速に画像データの転送をすることができる。
【産業上の利用可能性】
【００９２】
本発明にかかる通信端末装置及び画像データ転送方法は、特に無線ＬＡＮのアドホックモード通信を用いて画像データを転送するのに好適である。
【図１】
2008102434.tif 000003
【図２】
2008102434.tif 000004
【図３】
2008102434.tif 000005
【図４】
2008102434.tif 000006
【図５】
2008102434.tif 000007
【図６】
2008102434.tif 000008
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
撮像する撮像手段と、
前記撮像手段の起動を検出する起動検出手段と、
前記起動検出手段で起動を検出した際に送信または受信する標識信号を契機として通信相手端末と直接通信する無線ＬＡＮのアドホックモード通信で通信可能な通信相手端末を所定の周期で検索する検索手段と、
前記検索手段での検索により前記通信相手端末が見つかった場合に前記撮像手段で撮像した画像の画像データを前記通信相手端末に対して無線ＬＡＮのアドホックモード通信で転送する転送手段と、
を具備する通信端末装置。
【請求項２】
前記通信相手端末を識別するための情報である識別情報を記憶する記憶手段を具備し、
前記検索手段は、前記記憶手段に前記識別情報を記憶している場合には、前記記憶手段に前記識別情報を記憶していない場合に比べて前記周期を短くする請求項１記載の通信端末装置。
【請求項３】
前記撮像手段は、カメラ起動ボタンが押下された際に起動し、
前記起動検出手段は、前記カメラ起動ボタンが押下された際に前記起動を検出する請求項１記載の通信端末装置。
【請求項４】
前記転送手段は、前記記憶手段に前記画像データを記憶する場合に前記通信相手端末に対して前記画像データを転送する請求項１記載の通信端末装置。
【請求項５】
前記検索手段は、所定時間内に前記通信相手端末を見つけられなかった場合には、前記検索を停止する請求項１記載の通信端末装置。
【請求項６】
前記検索手段での検索により前記通信相手端末が見つかった場合に、前記通信相手端末で撮像中の画像の画像データを無線ＬＡＮのアドホックモード通信で受信する受信手段と、
受信した前記画像データをモニタ画像として表示する表示手段と、
を具備する請求項１記載の通信端末装置。
【請求項７】
前記画像データを送信する前記通信相手端末における前記撮像中の画像の撮像処理を制御するための制御信号を生成する撮像制御手段と、
前記撮像制御手段で生成した前記制御信号を無線ＬＡＮのアドホックモード通信で前記通信相手端末へ送信する送信手段と、
を具備する請求項６記載の通信端末装置。
【請求項８】
前記モニタ画像を表示するか否かを選択する選択手段を具備し、
前記受信手段は、前記選択手段で前記モニタ画像を表示することが選択された場合に前記画像データを受信する請求項６記載の通信端末装置。
【請求項９】
通信端末装置に設けられた撮像手段で撮像するステップと、
前記撮像手段の起動を検出するステップと、
前記通信端末装置が、前記起動を検出した際に、送信または受信する標識信号を契機として通信相手端末と直接通信する無線ＬＡＮのアドホックモード通信で通信可能な通信相手端末を所定の周期で検索するステップと、
前記検索により前記通信相手端末が見つかった場合に前記撮像手段で撮像した画像の画像データを前記通信端末装置から前記通信相手端末に対して無線ＬＡＮのアドホックモー
ド通信で転送するステップと、
を具備する画像データ転送方法。
【請求項１０】
前記通信相手端末が見つかった場合に前記通信相手端末で撮像中の画像の画像データをモニタ画像として前記通信端末装置が無線ＬＡＮのアドホックモード通信で受信するステップを具備する請求項９記載の画像データ転送方法。
【手続補正２】
【補正対象書類名】明細書
【補正対象項目名】全文
【補正方法】変更
【補正の内容】
【発明の詳細な説明】
【技術分野】
【０００１】
本発明は、通信端末装置及び画像データ転送方法に関し、特に無線ＬＡＮのアドホックモード通信を用いて画像データを転送する通信端末装置及び画像データ転送方法に関する。
【背景技術】
【０００２】
従来、携帯電話またはデジタルカメラ等のカメラで撮像した画像を他の機器へ転送する際に、撮像した画像の画像データを一旦記憶媒体に記憶させ、画像データを記憶した記憶媒体を転送先の機器と接続して画像データを転送するものが知られている。
【０００３】
また、従来、カメラで撮影した画像の画像データを携帯電話に転送するものが知られている（例えば、特許文献１）。特許文献１のカメラシステムでは、通信機能を備えたカメラに携帯電話機の電話番号を登録しておく。携帯電話機からカメラに電話をかけると、登録してある電話番号によって接続相手の認証が行われ、登録済み電話番号の携帯電話機に限り、カメラとの間で画像や制御信号などのデータの送受信が許可される。
【０００４】
また、従来、オンデマンド型の通信として、無線ＬＡＮのアドホックモード（ad hoc mode）通信の研究が盛んに行われている。
【０００５】
無線ＬＡＮのアドホックモード通信とは、基地局やアクセスポイントを必要とせず、無線で接続できる無線端末(パソコン、ＰＤＡ、携帯電話等)のみで構成された自立分散型の無線ネットワークによる通信である。このため、無線ＬＡＮのアドホックモード通信は、アクセスポイント等のインフラ（Infrastructure）が存在しない場所でも簡易にネットワークを構築して通信することができる。
【０００６】
この無線ＬＡＮのアドホックモード通信は、ＩＥＥＥ(Institute of Electrical and Electronics Engineers)８０２．１１やＢｌｕｅｔｏｏｔｈ（登録商標）などの技術を用いて、端末同士が通信する。
【特許文献１】特開２００４−３６１４６４号公報
【発明の開示】
【発明が解決しようとする課題】
【０００７】
しかしながら、従来の装置においては、記憶媒体を介して画像データを転送する場合には、画像データの転送が面倒であるという問題がある。例えば、カメラ付き携帯電話またはデジタルカメラで集合写真を撮影した際に、集合写真に写っている人物全員に対して、記憶媒体を介して撮影した写真を渡すのは手間が掛かり面倒であるという問題がある。
【０００８】
また、特許文献１のカメラシステムにおいては、カメラに電話番号を登録する電話番号登録処理を行う必要があり、カメラから携帯電話に画像データを転送することができるようになるまでの処理が面倒であるという問題がある。また、カメラから携帯電話へ画像データを転送する際の通信方式は、ＦＤＭＡ、ＴＤＭＡ、ＣＤＭＡ及びＷ−ＣＤＭＡであり、何れも、画像データはカメラから基地局を介して携帯電話に転送されるものであるため、画像データの転送に時間を要するという問題がある。
【０００９】
本発明の目的は、無線ＬＡＮのアドホックモード通信を用いることにより、撮影した画像の画像データの転送を容易に行うことができるとともに、画像データの転送を迅速に行うことができる通信端末装置及び画像データ転送方法を提供することである。
【課題を解決するための手段】
【００１０】
本発明の通信端末装置は、撮像する撮像手段と、前記撮像手段の起動を検出する起動検出手段と、前記起動検出手段で起動を検出した際に送信または受信する標識信号を契機として通信相手端末と直接通信する無線ＬＡＮのアドホックモード通信で通信可能な通信相手端末を所定の周期で検索する検索手段と、前記検索手段での検索により前記通信相手端末が見つかった場合に前記撮像手段で撮像した画像の画像データを前記通信相手端末に対して無線ＬＡＮのアドホックモード通信で転送する転送手段と、を具備する構成を採る。
【００１１】
本発明の画像データ転送方法は、通信端末装置に設けられた撮像手段で撮像するステップと、前記撮像手段の起動を検出するステップと、前記通信端末装置が、前記起動を検出した際に、送信または受信する標識信号を契機として通信相手端末と直接通信する無線ＬＡＮのアドホックモード通信で通信可能な通信相手端末を所定の周期で検索するステップと、前記検索により前記通信相手端末が見つかった場合に前記撮像手段で撮像した画像の画像データを前記通信端末装置から前記通信相手端末に対して無線ＬＡＮのアドホックモード通信で転送するステップと、を具備するようにした。
【発明の効果】
【００１２】
本発明によれば、無線ＬＡＮのアドホックモード通信を用いることにより、撮影した画像の画像データの転送を容易に行うことができるとともに、画像データの転送を迅速に行うことができる。
【発明を実施するための最良の形態】
【００１３】
以下、本発明の実施の形態について、図面を参照して詳細に説明する。
【００１４】
（実施の形態）
図１は、本発明の実施の形態に係る通信端末装置１００の構成を示すブロック図である。
【００１５】
アンテナ１０１、切替部１０２、送信部１０３、受信部１０４、セルラー電源部１０５及びセルラー無線制御部１０６は、セルラー通信部１５０を構成する。また、アンテナ１０７、切替部１０８、送信部１０９、受信部１１０、ＷＬＡＮ電源部１１１及びＷＬＡＮ無線制御部１１２は、ＷＬＡＮ通信部１６０を構成する。また、セルラーインタフェース１１３、ＷＬＡＮインタフェース１１４、メモリ１１５、アプリケーション制御ブロック１１６、ＷＬＡＮ起動要求ブロック１１７及び撮像制御部１１８は、アプリケーション通信制御部１７０を構成する。
【００１６】
アンテナ１０１は、セルラー通信方式の信号を受信して切替部１０２へ出力するとともに、切替部１０２から入力したセルラー通信方式の送信信号を送信する。
【００１７】
切替部１０２は、アンテナ１０１から入力した受信信号の受信部１０４への出力と、送信部１０３から入力した送信信号のアンテナ１０１への出力とを切り替える。
【００１８】
送信部１０３は、セルラー無線制御部１０６から入力した送信信号をベースバンド周波数から無線周波数にアップコンバートして切替部１０２へ出力する。
【００１９】
受信部１０４は、切替部１０２から入力した受信信号を無線周波数からベースバンド周波数にダウンコンバートしてセルラー無線制御部１０６へ出力する。
【００２０】
セルラー電源部１０５は、セルラー無線制御部１０６に電力を供給する。
【００２１】
セルラー無線制御部１０６は、セルラー電源部１０５から電力の供給を受けることにより、セルラーインタフェース１１３から入力した送信信号を変調して送信部１０３へ出力する。また、セルラー無線制御部１０６は、受信部１０４から入力した受信信号を復調してセルラーインタフェース１１３へ出力する。
【００２２】
アンテナ１０７は、無線ＬＡＮのアドホックモード通信の信号を、無線アドホックネットワークを介して受信して切替部１０８へ出力するとともに、切替部１０８から入力した無線ＬＡＮのアドホックモード通信の送信信号を、無線アドホックネットワークを介して送信する。
【００２３】
切替部１０８は、アンテナ１０７から入力した受信信号の受信部１１０への出力と、送信部１０９から入力した送信信号のアンテナ１０７への出力とを切り替える。
【００２４】
転送手段である送信部１０９は、ＷＬＡＮ無線制御部１１２から入力した送信信号をベースバンド周波数から無線周波数にアップコンバートして切替部１０８へ出力する。
【００２５】
受信部１１０は、切替部１０８から入力した受信信号を無線周波数からベースバンド周波数にダウンコンバートしてＷＬＡＮ無線制御部１１２へ出力する。
【００２６】
ＷＬＡＮ電源部１１１は、操作部１２０から検索開始信号が入力した場合に、ＷＬＡＮ無線制御部１１２に電力を供給する。
【００２７】
検索手段であるＷＬＡＮ無線制御部１１２は、ＷＬＡＮ電源部１１１から電力の供給を受けることにより起動する。また、ＷＬＡＮ無線制御部１１２は、起動後に、通信相手端末が送信したビーコン信号が受信部１１０から入力しない場合に、ビーコン信号を生成して、生成したビーコン信号を送信部１０９へ出力する。この際に、ＷＬＡＮ無線制御部１１２は、ビーコンを送信する周期を短くするビーコン周期制御信号がＷＬＡＮインタフェース１１４から入力した場合に、ビーコン周期制御信号に応じた周期でビーコンが送信されるタイミングで、生成したビーコンを送信部１０９へ出力する。一方、ＷＬＡＮ無線制御部１１２は、起動後に、通信相手端末が送信したビーコン信号が受信部１１０から入力した場合に、トラフィック発生通知メッセージ(Announcement Traffic Indication Message：以下「ＡＴＩＭ」という)信号を生成して、生成したＡＴＩＭ信号を送信部１０９へ出力する。
【００２８】
また、ＷＬＡＮ無線制御部１１２は、ＡＴＩＭ信号に対するＡＣＫが受信部１１０から入力した場合に、ＷＬＡＮインタフェース１１４から入力した画像データを変調して送信部１０９へ出力する。また、ＷＬＡＮ無線制御部１１２は、受信部１１０から入力した受信信号の各フレームに含まれているＢＳＳＩＤを参照し、現在の自分に割り当てられているＢＳＳＩＤと同じＢＳＳＩＤを含むフレームの画像データだけを処理する。そして、Ｗ
ＬＡＮ無線制御部１１２は、処理した画像データをＷＬＡＮインタフェース１１４へ出力する。ここで、ＢＳＳＩＤ（Basic Service Set ID）とは、アクセスポイントまたは基地局を識別する識別子であるが、本実施の形態では、通信端末装置をグループ化した際のグループを識別する識別情報としての役割を有する。なお、この場合、ＷＬＡＮ無線制御部１１２から送信部１０９へ出力する画像データは、カメラモジュール１１９で撮像した通信相手端末に転送するための画像の画像データであり、受信部１１０からＷＬＡＮ無線制御部１１２に入力する画像データは、通信相手端末が撮像中の画像の画像データをＬＣＤ１２１にモニタ画像として表示するためのものである。さらに、ＷＬＡＮ無線制御部１１２は、ＷＬＡＮインタフェース１１４から入力した、通信相手端末が撮像する際の撮像処理を遠隔操作するための制御信号を変調して送信部１０９へ出力する。
【００２９】
セルラーインタフェース１１３は、セルラー無線制御部１０６から入力した受信信号をアプリケーション制御ブロック１１６へ出力する。また、セルラーインタフェース１１３は、アプリケーション制御ブロック１１６から入力した送信信号をセルラー無線制御部１０６へ出力する。
【００３０】
ＷＬＡＮインタフェース１１４は、ＷＬＡＮ起動要求ブロック１１７から起動を要求された場合に、ＷＬＡＮ無線制御部１１２に対して、起動を要求する。また、ＷＬＡＮインタフェース１１４は、起動の要求後に、アプリケーション制御ブロック１１６から入力した画像データをＷＬＡＮ無線制御部１１２へ出力し、撮像制御部１１８から入力した制御信号をＷＬＡＮ無線制御部１１２へ出力するとともに、ＷＬＡＮ無線制御部１１２から入力した画像データをアプリケーション制御ブロック１１６へ出力する。また、ＷＬＡＮインタフェース１１４は、ビーコンを送信する周期を短くするビーコン周期制御信号がアプリケーション制御ブロック１１６から入力した場合に、入力したビーコン周期制御信号をＷＬＡＮ無線制御部１１２へ出力する。
【００３１】
記憶手段であるメモリ１１５は、特定の通信相手端末の宛先の情報である電話帳情報（識別情報）を記憶することができる。具体的には、メモリ１１５は、ＩＢＳＳ（Independent Basic Service Set）のＢＳＳＩＤを電話帳情報として記憶している。また、メモリ１１５は、アプリケーション制御ブロック１１６から入力した、カメラモジュール１１９で撮像した画像の画像データを記憶する。ここで、ＩＢＳＳとは、送信機が送信元であり、受信機が相手先である、アクセスポイントを使用しない無線ＬＡＮネットワークである。
【００３２】
起動検出手段であるアプリケーション制御ブロック１１６は、操作部１２０からカメラ起動信号が入力した場合に、カメラモジュール１１９の起動を検出し、ＷＬＡＮ起動要求ブロック１１７に対して、所定の周期で無線ＬＡＮのアドホックモード通信を起動することを指示する。その際に、アプリケーション制御ブロック１１６は、メモリ１１５を参照して、メモリ１１５に電話帳情報が記憶されている場合には、メモリ１１５に電話帳情報が記憶されていない場合に比べて、ビーコンを送信する周期を短くするビーコン周期制御信号をＷＬＡＮインタフェース１１４へ出力する。また、アプリケーション制御ブロック１１６は、起動を要求した後に、カメラモジュール１１９から入力した画像データをＷＬＡＮインタフェース１１４へ出力する。また、アプリケーション制御ブロック１１６は、ＷＬＡＮインタフェース１１４から入力した画像データをＬＣＤ１２１へ出力する。また、アプリケーション制御ブロック１１６は、操作部１２０のキー操作に応じた信号が操作部１２０から入力した場合に、キー操作に応じた所定のアプリケーション処理を行う。また、アプリケーション制御ブロック１１６は、所定のアプリケーション処理を行うことにより、セルラーインタフェース１１３との間でセルラー通信方式の信号の入出力を行う。また、アプリケーション制御ブロック１１６は、後述する操作部１２０から入力した指示信号に従って、カメラモジュール１１９から入力した画像データをメモリ１１５に記憶す
る。
【００３３】
ＷＬＡＮ起動要求ブロック１１７は、アプリケーション制御ブロック１１６からの指示により、ＷＬＡＮインタフェース１１４に対して、起動を要求する。
【００３４】
撮像制御部１１８は、操作部１２０から入力した、通信相手端末が撮像する際の撮像処理を遠隔操作するための制御を行う制御信号を生成し、生成した制御信号をＷＬＡＮインタフェース１１４へ出力する。例えば、撮像制御部１１８は、フォーカスを調整するための制御信号、またはカメラの視野角を調整するための制御信号を生成する。また、撮像制御部１１８は、操作部１２０から選択信号が入力した場合には、通信相手端末が撮像中の画像の画像データをモニタ画像として送信することを要求する制御信号を生成する。
【００３５】
撮像手段であるカメラモジュール１１９は、起動スイッチを有しており、起動スイッチが押されることにより起動する。そして、カメラモジュール１１９は、起動後に、被写体を撮像し、撮像した被写体の画像の画像データをアプリケーション制御ブロック１１６へ出力する。
【００３６】
選択手段である操作部１２０は、操作用キーを有しており、外部から操作用キーが操作されることにより、キー操作に応じた信号をアプリケーション制御ブロック１１６へ出力する。また、操作部１２０は、キー操作が、通信相手端末が撮像する際の撮像処理を遠隔操作するための制御である場合には、キー操作に応じた遠隔操作のための信号を撮像制御部１１８へ出力する。また、操作部１２０は、キー操作が、通信相手端末が撮像中の画像をモニタ画像として表示することを選択する場合には、モニタ画像を表示することを選択する選択信号を撮像制御部１１８へ出力する。また、操作部１２０は、キー操作が、カメラモジュール１１９で撮像した画像の画像データを記憶することを指示する場合には、画像データを記憶することを指示する指示信号をアプリケーション制御ブロック１１６へ出力する。また、操作部１２０は、カメラ起動スイッチとＷＬＡＮ通信相手端末の検索開始スイッチを有している。そして、操作部１２０は、カメラ起動スイッチが押下された際に、カメラ起動信号をアプリケーション制御ブロック１１６へ出力する。また、操作部１２０は、ＷＬＡＮ通信相手端末の検索開始スイッチが押下された際に、検索開始信号をＷＬＡＮ電源部１１１へ出力する。
【００３７】
表示手段であるＬＣＤ１２１は、アプリケーション制御ブロック１１６から入力した画像データの画像を表示する。この際に、ＬＣＤ１２１は、アプリケーション制御ブロック１１６から入力した画像データが通信相手端末の撮像中の画像の画像データである場合には、通信相手端末で撮像中の画像のモニタ画像として表示する。
【００３８】
次に、撮像した画像の画像データを通信相手端末に転送する場合における通信端末装置１００の動作について、図２を用いて説明する。図２は、通信端末装置１００の動作を示すフロー図である。
【００３９】
最初に、通信端末装置１００は、ユーザー操作を受け付ける（ステップＳＴ２０１）。
【００４０】
次に、通信端末装置１００のアプリケーション制御ブロック１１６は、カメラモジュール１１９のカメラが起動されたか否かを判定する（ステップＳＴ２０２）。
【００４１】
カメラが起動されていない場合には、通信端末装置１００は、再びユーザー操作を受け付ける（ステップＳＴ２０１）。
【００４２】
一方、カメラが起動された場合には、通信端末装置１００のアプリケーション制御ブロ
ック１１６は、無線ＬＡＮ（ＷＬＡＮ）を起動するか否かを判定する（ステップＳＴ２０３）。
【００４３】
無線ＬＡＮを起動しない場合には、通信端末装置１００は、カメラモジュール１１９のみ起動を継続する（ステップＳＴ２０４）。
【００４４】
一方、ステップＳＴ２０３において、無線ＬＡＮを起動する場合には、アプリケーション制御ブロック１１６は、メモリ１１５に電話帳情報が記憶されていて電話帳情報を検索する必要があるか否かを判定する（ステップＳＴ２０５）。
【００４５】
電話帳情報を検索する必要がある場合には、アプリケーション制御ブロック１１６は、ビーコン送信周期を短い周期に変更することを決定する（ステップＳＴ２０６）。
【００４６】
一方、電話帳情報を検索する必要がない場合には、アプリケーション制御ブロック１１６は、ビーコン送信周期を通常の周期、即ち、ステップＳＴ２０６で設定したビーコン周期よりも長いビーコン周期を設定する（ステップＳＴ２０７）。
【００４７】
次に、通信端末装置１００のＷＬＡＮ無線制御部１１２は、無線ＬＡＮ接続機器との接続があるか否かを判定する（ステップＳＴ２０８）。具体的には、ＷＬＡＮ無線制御部１１２は、設定したビーコン周期でビーコンを送信し、ビーコンの送信後にＡＴＩＭ信号を送信する。そして、ＷＬＡＮ無線制御部１１２は、通信相手端末より、ＡＴＩＭ信号に対するＡＣＫを受け取った場合に、無線ＬＡＮ接続機器との接続があるものと判定する。または、ＷＬＡＮ無線制御部１１２は、通信相手端末が送信したビーコン及びＡＴＩＭ信号を受け取った場合に、無線ＬＡＮ接続機器との接続があるものと判定する。
【００４８】
図３は、アドホックモード通信を行う状況を説明する図であり、図４は、アドホックモード通信する場合のタイミングチャート図である。なお、図３及び図４において、通信端末装置１００は、図１と同一構成を有する。
【００４９】
図３より、通信端末装置１００は、通信相手端末Ｂとアドホックモード通信を行い、通信相手端末Ａとアドホックモード通信を行わないものとする。
【００５０】
この場合、図４より、通信端末装置１００は、ビーコン＃４０１を送信する。そして、通信端末装置１００は、ビーコン＃４０１の送信を契機として、続けて、通信相手端末Ｂに対して、ユニキャストでＡＴＩＭ信号＃４０２を送信する。ＡＴＩＭ信号＃４０２を受信した通信相手端末Ａは、通信端末装置１００とのアドホックモード通信には参加しない端末であるので応答信号は送信しない。一方、ＡＴＩＭ信号＃４０２を受信した通信相手端末Ｂは、通信端末装置１００とのアドホックモード通信に参加する端末であり、受信したＡＴＩＭ信号＃４０２は自分宛であるので、ＡＴＩＭ信号＃４０２に対する応答としてＡＣＫ＃４０３を送信する。通信端末装置１００がＡＣＫ＃４０３を受信することにより、通信端末装置１００は、無線ＬＡＮ接続機器との接続があると判定することができる。なお、通信端末装置１００がＡＣＫ＃４０３を受信できない場合または通信相手端末ＢがＡＣＫ＃４０３を送信しない場合には、通信端末装置１００は、無線ＬＡＮ接続機器との接続がないと判定することができる。
【００５１】
図４において、通信端末装置１００及び通信相手端末Ａ、Ｂは、前のビーコン間隔のちょうど最後の時刻にあたるターゲットビーコン送信時刻ＴＢＴＴからバックオフと呼ばれるランダムな待機時間だけ待機した後、ビーコン信号の発信を試みる。通信端末装置１００及び通信相手端末Ａ、Ｂが自身の送信時刻よりも前にビーコン信号を受け取ると、保留中のビーコン信号の送信はキャンセルされる。これにより、アドホックモード通信では、
通信端末装置１００及び通信相手端末Ａ、Ｂの内の何れか１つの端末のみがビーコン信号を送信する。
【００５２】
また、ビーコンフレームは、通信端末装置１００及び通信相手端末Ａ、Ｂの各々により処理される必要があるため、ＴＢＴＴの前には、通信端末装置１００及び通信相手端末Ａ、Ｂの全ての端末が立ち上がって、起動状態になる。また、ビーコンフレームには、タイムスタンプ、ビーコン間隔、ケーパビリティ情報、サービスセットＩＤ、サポートレートなどの必須フィールドと、ＦＨパラメータセット、ＤＳパラメータセット、ＣＦパラメータセット、ＩＢＳＳパラメータセット、ＴＩＭなどのオプションフィールドとが含まれる。オプション情報は、使用する必要がある場合のみ存在する。
【００５３】
図２に戻って、ステップＳＴ２０８において、無線ＬＡＮ接続機器との接続があると判定した場合には、通信端末装置１００は、無線ＬＡＮのアドホックモード通信を開始する（ステップＳＴ２０９）。
【００５４】
次に、通信端末装置１００は、無線ＬＡＮのアドホックモード通信を開始した通信相手端末とのネゴシエーションを実行し、ネゴシエーション接続できたか否かを判定する（ステップＳＴ２１０）。
【００５５】
ネゴシエーション接続できた場合には、通信端末装置１００と通信相手端末とは、無線ＬＡＮ接続機器とのアドホックモード通信による接続状態になる（ステップＳＴ２１１）。
【００５６】
次に、カメラモジュール１１９は、被写体を撮像する（ステップＳＴ２１２）。
【００５７】
次に、通信端末装置１００のアプリケーション制御ブロック１１６は、カメラモジュール１１９で撮像した画像の画像データをメモリ１１５に記憶するか否か判定する（ステップＳＴ２１３）。
【００５８】
メモリ１１５に記憶しない場合には、カメラ表示へ戻る（ステップＳＴ２１４）。
【００５９】
一方、ステップＳＴ２１３において、メモリ１１５に記憶する場合には、アプリケーション制御ブロック１１６は、メモリ１１５に画像データを保存する（ステップＳＴ２１５）。
【００６０】
次に、通信端末装置１００のＷＬＡＮ無線制御部１１２は、ステップＳＴ２１１で接続状態にした通信相手端末に対して、無線ＬＡＮのアドホックモード通信を用いて画像データの転送を開始する（ステップＳＴ２１６）。具体的には、図４に示すように、ＷＬＡＮ無線制御部１１２は、画像データ＃４０３を転送し、画像データ＃４０３を受信した通信相手端末Ｂは、受信した画像データに対する応答であるＡＣＫ（図示省略）を送信する。
【００６１】
一方、ステップＳＴ２０４でカメラモジュール１１９のみを起動する場合、ステップＳＴ２０８で無線ＬＡＮ接続機器との接続がないと判定した場合、ステップＳＴ２１０でネゴシエーション接続できなかった場合、またはステップＳＴ２１４でカメラ表示へ戻った場合に、通信端末装置１００は、画像データの転送は行わない。
【００６２】
次に、通信相手端末で撮像した画像をモニタ画像として表示する場合における通信端末装置１００の動作について、図５を用いて説明する。図５は、通信端末装置１００の動作を示すフロー図である。
【００６３】
最初に、通信端末装置１００は、ユーザー操作を受け付ける（ステップＳＴ５０１）。
【００６４】
次に、通信端末装置１００のカメラモジュール１１９は、カメラが起動されたか否かを判定する（ステップＳＴ５０２）。
【００６５】
カメラが起動されていない場合には、通信端末装置１００は、再びユーザー操作を受け付ける（ステップＳＴ５０１）。
【００６６】
一方、カメラが起動された場合には、通信端末装置１００のアプリケーション制御ブロック１１６は、無線ＬＡＮ（ＷＬＡＮ）を起動するか否かを判定する（ステップＳＴ５０３）。
【００６７】
無線ＬＡＮを起動しない場合には、通信端末装置１００は、カメラモジュール１１９のみ起動を継続する（ステップＳＴ５０４）。
【００６８】
一方、ステップＳＴ５０４において、無線ＬＡＮを起動する場合には、アプリケーション制御ブロック１１６は、通信相手端末で撮像中の画像をモニタ画像として表示することを選択する信号が操作部１２０から入力したか否か、即ちカメラを共有するか否かを判定する（ステップＳＴ５０５）。
【００６９】
カメラを共有する場合には、アプリケーション制御ブロック１１６は、メモリ１１５に記憶されている電話帳情報を検索する（ステップＳＴ５０６）。
【００７０】
次に、アプリケーション制御ブロック１１６は、ビーコン送信周期を短い周期に変更することを決定する（ステップＳＴ５０７）。
【００７１】
次に、通信端末装置１００のＷＬＡＮ無線制御部１１２は、無線ＬＡＮ接続機器との接続があるか否かを判定する（ステップＳＴ５０８）。具体的には、ＷＬＡＮ無線制御部１１２は、設定したビーコン周期でビーコンを送信し、ビーコンの送信後にＡＴＩＭ信号を送信する。そして、ＷＬＡＮ無線制御部１１２は、通信相手端末より、ＡＴＩＭ信号に対するＡＣＫを受け取った場合に、無線ＬＡＮ接続機器との接続があるものと判定する。または、ＷＬＡＮ無線制御部１１２は、通信相手端末が送信したビーコン及びＡＴＩＭ信号を受け取った場合に、無線ＬＡＮ接続機器との接続があるものと判定する。なお、判定の方法は、図３及び図４と同一であるのでその詳しい説明は省略する。
【００７２】
ステップＳＴ５０８において、無線ＬＡＮ接続機器との接続があると判定した場合には、通信端末装置１００は、無線ＬＡＮのアドホックモード通信を開始する（ステップＳＴ５０９）。
【００７３】
次に、通信端末装置１００は、無線ＬＡＮのアドホックモード通信を開始した通信相手端末とのネゴシエーションを実行し、ネゴシエーション接続できたか否かを判定する（ステップＳＴ５１０）。
【００７４】
ネゴシエーション接続できた場合には、通信端末装置１００と通信相手端末とは、無線ＬＡＮ接続機器とのアドホックモード通信による接続状態になる（ステップＳＴ５１１）。
【００７５】
次に、通信端末装置１００の撮像制御部１１８は、通信相手端末で撮像中の画像データの転送を要求する制御信号を生成する。そして、通信端末装置１００は、通信相手端末で撮像中の画像データの転送を要求する制御信号を送信する。
【００７６】
図６は、アドホックモード通信する場合のタイミングチャート図である。なお、図６において、図４と同一の信号には同一の符号を付して、その説明は省略する。
【００７７】
図６より、通信端末装置１００は、通信相手端末で撮像中の画像データの転送を要求する制御信号＃６０１を送信し、制御信号＃６０１を受信した通信相手端末Ｂは、制御信号＃６０１の受信に対する応答であるＡＣＫ＃６０２を送信する。
【００７８】
次に、通信端末装置１００は、図６に示すように、通信相手端末から送信された画像データ＃６０３を受信する（ステップＳＴ５１２）。
【００７９】
次に、通信端末装置１００のＬＣＤ１２１は、ステップＳＴ５１２で受信した画像データをモニタ画像として表示する（ステップＳＴ５１３）。
【００８０】
一方、ステップＳＴ５０４でカメラモジュール１１９のみを起動する場合、ステップＳＴ５０５でカメラを共有しない場合、ステップＳＴ５０８で無線ＬＡＮ接続機器との接続がないと判定した場合、またはステップＳＴ５１０でネゴシエーション接続できなかった場合に、通信端末装置１００は、モニタ画像は表示しない。
【００８１】
因みに、図４及び図６に示すように、無線ＬＡＮのアドホックモード通信では、ビーコン信号は、標識信号であり、全ての無線端末に対して送信される。ビーコンはアドホックモード通信において予め設定された間隔で通信端末装置１００及び通信相手端末Ａ、Ｂのいずれかから送信可能である。
【００８２】
このビーコンに続いて、通信端末装置１００及び通信相手端末Ａ、Ｂでは、ＡＴＩＭウィンドウと呼ばれる時間ウィンドウが開始される。このＡＴＩＭウィンドウは、ノード（ここでは、通信端末装置１００及び通信相手端末Ａ、Ｂ）がアクティブな状態を保たなければならない時間である。
【００８３】
アドホックモード通信では、通信端末装置１００及び通信相手端末Ａ、Ｂが、ＡＴＩＭウィンドウ中にＡＴＩＭ信号を送信することによって、ＡＴＩＭウィンドウの間は、通信相手端末Ａは、電源をＯＦＦにすることができず、電源をＯＮにしてからＩＢＳＳ作成時に決めた時間の経過後に終了する。
【００８４】
また、無線端末Ａは、ＡＴＩＭ信号を送信または受信していないため、ＡＴＩＭウィンドウの終了後、スリープ状態（省電力モード）に入ることができる。また、無線端末Ａは、ビーコン送信周期内で、ビーコン信号を送信または受信するために起動する。
【００８５】
また、ビーコンを送信する通信端末装置１００は、通信相手端末Ａ、Ｂ以外の他の通信端末装置が、すでに構築されているネットワークに参加を希望する際に、ネットワークに参加を希望する他の通信端末装置に対して、ネットワークへの参加の機会を与えるために、次のビーコンを送信するまでスリープ状態に入らない。
【００８６】
一方、通信端末装置１００及び通信相手端末Ｂは、ＡＴＩＭウィンドウ中にＡＴＩＭ信号の送受信を行っているため、スリープ状態に入ることはできない。
【００８７】
また、ビーコンを発信した通信端末装置１００は、アドホックモード通信に対する外部の無線端末の新規参入を受け付けるため、スリープ状態に入ることができない。
【００８８】
そして、次のビーコンが送信された際のＡＴＩＭウィンドウでは、通信端末装置１００
及び通信相手端末Ａ、ＢはＡＴＩＭ信号を送受信しなかったため、ビーコンを送信した通信端末装置１００以外の通信相手端末Ａ、Ｂは、ＡＴＩＭウィンドウの終了後スリープ状態に入っている。
【００８９】
また、通信端末装置及びその他の機器がブロードキャストまたはマルチキャストされたデータをチェックできるように、すべてのフレームにはＢＳＳＩＤが格納されている。これにより、同じＢＳＳＩＤに属する通信端末装置及びその他の機器だけが、ブロードキャストまたはマルチキャストされたデータを受け取ることができる。また、ＩＢＳＳでは、３つのアドレスフィールドが使用される。最初のアドレスフィールドには受信機のアドレスが格納されており、ＩＢＳＳの場合には通信相手先のアドレスと同一である。また、２番目のアドレスフィールドには送信元のアドレスが格納されている。また、３番目のアドレスフィールドにはＢＳＳＩＤが格納されている。また、ＩＢＳＳは、１つのパラメータ及びＡＴＩＭウィンドウだけを有する。このフィールドはＩＢＳＳでのビーコンフレームのみで使用される。
【００９０】
このように、本実施の形態によれば、無線ＬＡＮのアドホックモード通信を用いて画像データを転送することにより、撮影した画像の画像データの転送を容易に行うことができるとともに、画像データの転送を迅速に行うことができる。また、本実施の形態によれば、集合写真等を配布する際に、容易に配布することができる。また、本実施の形態によれば、モニタ画像を見ながら通信相手端末を遠隔操作できるので、撮影を繰り返す手間を省くことができる。また、本実施の形態によれば、電話帳情報を記憶している場合には、ビーコン周期を短くするので、画像データの転送をしたい相手に対して、迅速に画像データの転送をすることができる。
【産業上の利用可能性】
【００９１】
本発明にかかる通信端末装置及び画像データ転送方法は、特に無線ＬＡＮのアドホックモード通信を用いて画像データを転送するのに好適である。
【図面の簡単な説明】
【００９２】
【図１】本発明の実施の形態に係る通信端末装置の構成を示すブロック図
【図２】本発明の実施の形態に係る通信端末装置の動作を示すフロー図
【図３】本発明の実施の形態に係るアドホックモード通信の状況を示す図
【図４】本発明の実施の形態に係るアドホックモード通信する場合のタイミングチャート図
【図５】本発明の実施の形態に係る通信端末装置の動作を示すフロー図
【図６】本発明の実施の形態に係るアドホックモード通信する場合のタイミングチャート図
【手続補正３】
【補正対象書類名】図面
【補正対象項目名】全図
【補正方法】変更
【補正の内容】
【図１】
2008102434.tif 000009
【図２】
2008102434.tif 000010
【図３】
2008102434.tif 000011
【図４】
2008102434.tif 000012
【図５】
2008102434.tif 000013
【図６】
2008102434.tif 000014
【国際調査報告】
2008102434.tif 000015
2008102434.tif 000016
2008102434.tif 000017
2008102434.tif 000018